(57)【要約】【課題】携帯無線機に取り付けられるアンテナの特性を改善する。【解決手段】筐体２の上方に突出して取り付けられた第１のアンテナエレメント３と、筐体２の背面側上部に形成された第２のエレメント６とを有するアンテナ装置を設けた携帯無線機であって、導電部材によって送受信回路基板と接触して第１のエレメント３に給電する給電部５を設け、第２のエレメント６を、給電部５と対向する筐体内面の、給電部５と容量結合する位置に設ける。【選択図】　図１
2004023362.tif 000002
【特許請求の範囲】
【請求項１】
筐体上方に突出して取り付けられた第１のエレメントと、筐体の背面側上部に形成された第２のエレメントとを有するアンテナ装置を設けた携帯無線機であって、
導電部材によって送受信回路基板と接触して前記第１のエレメントに給電する給電部を設け、
前記第２のエレメントを、前記給電部と対向する筐体内面の、前記給電部と容量結合する位置に設けることを特徴とする携帯無線機。
【請求項２】
前記第２のエレメントは、背面側筐体の上部裏面に蒸着又はメッキされた導体によって構成されたことを特徴とする請求項１に記載の携帯無線機。
【請求項３】
前記第２のエレメントは、前記筐体上部の略４分の１の部分に設けられていることを特徴とする請求項１又は２に記載の携帯無線機。
【請求項４】
前記導電部材はバネ状の接点を有し、該バネ接点によって送受信回路基板と接触して前記第１のエレメントに給電すると共に、前記導電部材と前記第２のエレメントとが容量結合して、前記第１のエレメントの放射特性を変化させることを特徴とする請求項１から３のいずれか一つに記載の携帯無線機。
【発明の詳細な説明】
【０００１】
【発明が属する技術分野】
本発明は、携帯無線機に関し、特に携帯無線機に取り付けられるアンテナの特性の改善に関する。
【０００２】
【従来の技術】
携帯電話機等の形態無線機では、筐体上方に突出するようにヘリカルアンテナやホイップアンテナを設け、無線基地局との間に電波による通信回線を設定し、無線により音声、データ等を送受して通信を行っている。また、筐体の内面にメッキ層を形成して、平面アンテナを構成することも提案されている（特開平１１−１７７３２７号公報）。
【０００３】
このアンテナへの給電は、アンテナに給電する給電部と、送受信回路の出力及び送受信回路からの漏れ電波を抑制するシールドとをパターン等によって接続して、アンテナと送受信回路とを結合させていた。
【０００４】
【発明が解決しようとする課題】
しかし、従来の無線通信機では、前述したように、給電部と、送受信回路及びシールドとを接続して、アンテナと送受信回路とを結合させていたので、構造が複雑となっていた。また、アンテナ近傍における高周波電流の経路が複雑になってしまい、アンテナの整合状態に影響を生じることあった。
【０００５】
本発明は、簡単な構成で、アンテナの整合状態に影響することなく、アンテナの特性を向上することができるアンテナ装置を備えた携帯無線機を提供することを目的とする。
【０００６】
【課題を解決するための手段】
第１の発明は、筐体上方に突出して取り付けられた第１のエレメントと、筐体の背面側上部に形成された第２のエレメントとを有するアンテナ装置を設けた携帯無線機であって、導電部材によって送受信回路基板と接触して前記第１のエレメントに給電する給電部を設け、前記第２のエレメントを、前記給電部と対向する筐体内面の、前記給電部と容量結合する位置に設ける。
【０００７】
第２の発明は、第１の発明において、前記第２のエレメントは、背面側筐体の上部裏面に蒸着又はメッキされた導体によって構成されたことを特徴とする。
【０００８】
第３の発明は、第１〜第２の発明において、前記第２のエレメントは、前記筐体上部の略４分の１の部分に設けられていることを特徴とする。
【０００９】
第４の発明は、第１〜第３の発明において、前記導電部材はバネ状の接点を有し、該バネ接点によって送受信回路基板と接触して前記第１のエレメントに給電すると共に、前記導電部材と前記第２のエレメントとが容量結合して、前記第１のエレメントの放射特性を変化させることを特徴とする。
【００１０】
【発明の作用および効果】
本発明は、筐体上方に突出して取り付けられた第１のエレメントと、筐体の背面側上部に形成された第２のエレメントとを有するアンテナ装置を設けた携帯無線機であって、導電部材によって送受信回路基板と接触して前記第１のエレメントに給電する給電部を設け、前記第２のエレメントを、前記給電部と対向する筐体内面の、前記給電部と容量結合する位置に設けたので、前記第１のエレメントと前記第２のエレメントとを容量結合させることができ、アンテナ装置の利得を向上させることができる。
【００１１】
また、本発明は、前記第２のエレメントは、前記筐体上部の略４分の１の部分に設けたので、携帯無線機を手に持った状態で影響の少ない部分に第２のエレメントを設けることから、携帯無線機の使用状態でも、自由空間と比較して特性劣化の少ないアンテナ特性を得ることができる。
【００１２】
【発明の実施の形態】
図１は、本発明の実施の形態の携帯無線機の上面図である。
【００１３】
本発明の実施の形態の携帯無線機の筐体は、前面側筐体１と背面側筐体２とが組み合わされて構成されており、背面側筐体２の背面右側に上方（図面手前側）に突出するようにアンテナエレメント３が設けられている。
【００１４】
アンテナエレメント３はヘリカル式のホイップアンテナであり、図３において後述するように、巻き回された線状の導体がケース内部に収納されているヘリカルアンテナである。
【００１５】
図２は、本発明の実施の形態の携帯無線機の背面側筐体２の正面図（前面側筐体１と取り外して、背面側筐体２の内面を前面側筐体１側から見た図）である。
【００１６】
アンテナエレメント３は、背面側筐体２の右側に取り付けられており、アンテナエレメント３を構成するヘリカルアンテナの導体から下方に延伸した導体は、給電部を構成する給電金具５に接続されている。
【００１７】
給電金具５は板バネによって弾性を有する導電部材が構成されている。板バネは、アンテナエレメント３に接続されており、アンテナエレメント３から下方に延伸して、上方手前側に屈曲するように折り返して折返部５２が構成されている。そして、折返部５２には送受信回路基板と接触して、アンテナエレメント３と送受信回路を接続して、アンテナエレメントに３給電する接点５３が設けられている。なお、弾性を有する導電部材を板バネによらず、導電性ゴムコネクタや、先端が伸縮するコンタクトピンによって構成してもよい。
【００１８】
背面側筐体２上部の内面には導体（金属）が蒸着され、アンテナエレメント６を構成している。なお、このアンテナエレメントは背面側筐体２にメッキによって金属膜を付着させて構成してもよい。
【００１９】
アンテナエレメント６は、アンテナエレメント３の給電部の下部に給電部を取り巻くように横方向に延伸され、該給電部に近接する位置に設けられている。また、アンテナエレメント６は、携帯無線機を手に持った状態で、手と重ならず、手による影響が少ない部分である背面側筐体の内面の上側略４分の１の部分に設けられている。これによって、携帯無線機を手に持った使用状態でも、付近に導電体（又は誘電体）がない自由空間と比較して特性劣化の少ないアンテナ特性を得ることができる。
【００２０】
また、アンテナエレメント６は、筐体上側の略４分の１の領域において、右側の給電部付近から左側まで導体が蒸着又はメッキされて設けられている。このため、アンテナエレメント６の中央上部付近の領域は、アンテナエレメント３のヘリカルアンテナと容量結合している。
【００２１】
図３は、本発明の実施の形態の携帯無線機の背面側筐体２の断面図である。
【００２２】
背面側筐体２上部には内部にヘリカルアンテナを有するアンテナエレメント３が設けられている。アンテナエレメント３は、その下部において背面側筐体２にネジ止めされ、背面側筐体２に取り付けられている。また、給電金具５は該ネジによって、アンテナエレメント３の下端と接触しつつ、背面側筐体２に取り付けられている。
【００２３】
給電金具５を構成する板バネは、前面側に折り返される折返部５２が構成され、折返部５２には接点５３が設けられている。接点５３は送受信回路基板７と接触しており、給電金具５がアンテナエレメント３と送受信回路とを接続している。
【００２４】
背面側筐体２内面の給電金具５の近傍には導体が蒸着され、アンテナエレメント６が構成されている。このアンテナエレメント６と給電金具５とが近接した箇所において、アンテナエレメント６と給電金具５とが容量結合して、アンテナエレメント３の放射特性を変化させ、アンテナ装置の利得を向上させている。
【００２５】
図４は、本発明の実施の形態の携帯無線機のアンテナエレメント６の配置の一例を示す背面側筐体２の斜視図である。
【００２６】
背面側筐体２右側上部にはアンテナエレメント３の取付穴２１が設けられている。
【００２７】
背面側筐体２内面の上部略４分の１の領域（図中斜線で示す領域）には導体が蒸着され、アンテナエレメント６が構成されている。
【００２８】
このように本発明の実施の形態では、背面側筐体２の上方に突出して取り付けられた第１のアンテナエレメント３と、背面側筐体２の上部裏面の略４分の１の部分に蒸着された導体によって構成された第２のアンテナエレメント６とを有するアンテナ装置と、導電部材（弾性部材としての板バネ）によって送受信回路基板７と接触して第１のアンテナエレメント３に給電する給電金具５とを設け、第２のアンテナエレメント６を、給電金具５と対向する筐体内面に設けたので、給電金具５と第２のアンテナエレメント６とを容量結合させて、第１のアンテナエレメント３と第２のアンテナエレメント６とを容量結合させることができ、第１のアンテナエレメント３のインピーダンスを制御することができることから、アンテナ装置の利得を向上させることができる。
【００２９】
図５に、本発明の実施の形態の携帯無線機のアンテナ特性を示す。前述したように構成した本発明の実施の形態の携帯無線機では、背面左方向（図５中斜線で示す）の利得を約８ｄＢ向上させることができ、前面左方向の利得を約３ｄＢ向上させることができる。
【００３０】
また、第２のアンテナエレメント６を背面側筐体２の上部の略４分の１の部分設けたので、携帯無線機の使用状態でも、自由空間と比較して特性劣化の少ないアンテナ特性を得ることができる。
【図面の簡単な説明】
【図１】本発明の実施の形態の携帯無線機の上面図である。
【図２】本発明の実施の形態の携帯無線機の背面側筐体２の正面図である。
【図３】本発明の実施の形態の携帯無線機の背面側筐体２の断面図である。
【図４】本発明の実施の形態の携帯無線機のアンテナエレメント６の配置の一例を示す正面図である。
【図５】本発明の実施の形態の携帯無線機のアンテナの特性図である。
【符号の説明】
１　　前面側筐体
２　　背面側筐体
２１　アンテナ取付穴
３　　アンテナエレメント
５　　給電金具
５１　板バネ
５２　折返部
５３　接点
６　　アンテナエレメント
７　　送受信回路基板
【図１】
2004023362.tif 000003
【図２】
2004023362.tif 000004
【図３】
2004023362.tif 000005
【図４】
2004023362.tif 000006
【図５】
2004023362.tif 000007